(57)【特許請求の範囲】
【請求項１】
屋外に設置される屋外灯において、
太陽光を受けて発電するソーラーパネルと、そのソーラーパネルが発電した電力を利用して点灯する照明部とを上部に有する中空形態をなす支柱を備え、  
その支柱の下端は、地面その他の設置面に固定される中空箱形態の基礎ボックスの上部に固定されて、その基礎ボックス上に前記支柱が立設され、その基礎ボックスの内部には、前記ソーラーパネルにより発電された電力を充電し、かつその充電した電力を前記照明部に給電するバッテリが収容され、そのバッテリと前記ソーラーパネル及び照明部とが前記中空形態の支柱の内部を通る配線により接続され、
前記支柱は、筒状形態をなし、前記基礎ボックスから立ち上がる起立部と、その起立部から屈曲する屈曲部と、起立部の下端部に形成され前記基礎ボックスに連結するための支持部と、前記起立部と屈曲部との折れ曲がる部分である連接位置において前記起立部からその起立部と同軸上に延設される延設部とを備えるとともに、前記支柱と屈曲部とが互いに同径で一体的な折れ曲がり筒形態をなし、
前記屈曲部には、下向きに開口する窓部が形成され、その窓部に対応して前記屈曲部の内部に前記照明部が設けられる一方、
前記延接部には保持具を介して前記ソーラーパネルが取り付けられていることを特徴とする屋外灯。
【請求項２】
周囲の明るさを検知する照度センサが前記ソーラーパネル、照明部又は支柱に設けられ、その照度センサが検知する照度に基づいて前記照明部が点灯又は消灯する請求項１に記載の屋外灯。
【請求項３】
前記基礎ボックスの中空箱形態の底面部には、前記設置面への固定のための外側に突出するフランジ部が形成されている請求項１又は２に記載の屋外灯。
【請求項４】
前記中空箱形態の基礎ボックス内には前記バッテリの他、前記ソーラーパネルからバッテリへの充電及び前記照明部の点灯・消灯を制御するコントローラも収容されている請求項１ないし３のいずれか１項に記載の屋外灯。
【請求項５】
前記基礎ボックスの中空箱形態の上面部に前記支柱の下端が取り付けられ、その基礎ボックスの側壁部には取り外し可能な蓋部が固定配置された開口部が形成されている請求項１ないし４のいずれか１項に記載の屋外灯。
【請求項６】
前記延設部は、前記起立部と一体的かつ同軸的な筒形態に形成され、前記保持具は、前記ソーラーパネルを角度調節可能に固定するために前記延設部に固定され、その保持具は、前記延設部に自身を嵌合するための外筒部と、前記ソーラーパネルの下面に形成されたパネル側連結部が固定される保持具側連結部とで形成され、前記ソーラーパネルの前記パネル側連結部は、前記保持具側連結部に形成された回動軸を中心として角度調整可能に取り付けられる請求項１項に記載の屋外灯。
【請求項７】
前記基礎ボックスは、上部から下部にかけて中空部の断面積が漸次増大するテーパ状に形成されている請求項１ないし６のいずれか１項に記載の屋外灯。
【請求項８】
前記基礎ボックス内には、前記バッテリを固定する固定部が設けられている請求項１ないし７のいずれか１項に記載の屋外灯。
【請求項９】
前記基礎ボックス内には、前記バッテリ及びコントローラをそれぞれ固定する固定部が設けられている請求項４に記載の屋外灯。
【請求項１０】
前記ソーラーパネルは、前記支柱に対して角度調節可能に固定されている請求項１ないし９のいずれか１項に記載の屋外灯。
【発明の詳細な説明】
【技術分野】
【０００１】
本発明は、屋外に設置される屋外灯に関する。
【背景技術】
【０００２】
従来より、街路灯などの屋外に設置される屋外灯として、太陽光を受けて発電するソーラーパネルを備えたものが知られている（特許文献１参照）。
【０００３】
【特許文献１】特開２００３−５１２０８号公報
【０００４】
特許文献１記載の技術は、街路灯において、洪水や大雨時の浸水や直射日光からバッテリを守るという観点から、支柱の上部に取り付けられる照明灯の近傍に照明用のバッテリを取り付けるとともに、そのバッテリを太陽光線から遮るようにソーラーパネルを支柱の上端に方向可変に取り付けたものである。
【０００５】
しかしながら、特許文献１では、洪水や大雨時による浸水や直射日光による問題の発生は抑制しているものの、バッテリが照明灯の近傍という高所に配置されることにより、そのバッテリの点検や交換といった通常行われるメンテナンスが高所作業となってしまうという問題が新たに発生してしまう。
【０００６】
また、照明灯やソーラーパネル、さらにはバッテリ（バッテリボックス）といった付属品を支柱の上部に集めて取り付けることは、支柱自身の重心が偏り、不安定であるという問題がある。
【発明の開示】
【発明が解決しようとする課題】
【０００７】
本発明の課題は、上記実情に鑑みてなされたものであり、照明部のバッテリの点検や交換といったメンテナンスを容易に実施することができ、また支柱を安定的に設置することができる屋外灯を提供することにある。
【課題を解決するための手段及び発明の効果】
【０００８】
上記課題を解決するために、本発明は、
屋外に設置される屋外灯において、
太陽光を受けて発電するソーラーパネルと、そのソーラーパネルが発電した電力を利用して点灯する照明部とを上部に有する中空形態をなす支柱を備え、
その支柱の下端は、地面その他の設置面に固定される中空箱形態の基礎ボックスの上部に固定されて、その基礎ボックス上に前記支柱が立設され、その基礎ボックスの内部には、前記ソーラーパネルにより発電された電力を充電し、かつその充電した電力を前記照明部に給電するバッテリが収容され、そのバッテリと前記ソーラーパネル及び照明部とが前記中空形態の支柱の内部を通る配線により接続されたことを前提とする。
【０００９】
これによれば、中空箱形態の基礎ボックス上に支柱が立設され、その支柱が貫通していない基礎ボックスの内部空間を利用して、その基礎ボックス内にバッテリ（必要に応じてコントローラも）が収容（格納）されることによって、相応の重量があるバッテリを支柱の上部又は中間部に設ける形態に比べて重心が高くならず、安定したバッテリ等の設置が可能となる。また、バッテリ（必要に応じてコントローラも）の点検や交換といったメンテナンスを容易に実施することができる。そして、このようなバッテリ等の収容スペースを確保した上で、その基礎ボックス上に支柱を安定して支持することができる。さらに、バッテリ等が基礎ボックス内に収容され、配線は支柱の内部から通されるので、洪水や大雨時による浸水や直射日光からバッテリ等を保護することができる。
【００１０】
また、周囲の明るさを検知する照度センサが前記ソーラーパネル、照明部又は支柱に設けられ、その照度センサが検知する照度に基づいて前記照明部が点灯又は消灯するようにすることができる。
【００１１】
また、前記基礎ボックスの中空箱形態の底面部には、前記設置面への固定のための外側に突出するフランジ部が形成され、この場合はそのフランジ部を介して設置面への固定が例えばアンカーボルト等を用いて容易に行うことができる。
【００１２】
また、前記中空箱形態の基礎ボックス内には前記バッテリの他、前記ソーラーパネルからバッテリへの充電及び前記照明部の点灯・消灯を制御するコントローラも収容され、このようにすれば、バッテリとコントローラとを基礎ボックス内で一元管理することが可能となる。
【００１３】
また、前記基礎ボックスの中空箱形態の上面部に前記支柱の下端が取り付けられ、その基礎ボックスの側壁部には取り外し可能な蓋部が固定配置された開口部が形成され、こうすれば、その蓋部を開けて基礎ボックス内のバッテリや必要なコントローラ等の点検や修理、交換等を容易に行うことができる。
【００１４】
また、前記支柱は、筒状形態をなし、前記基礎ボックスから立ち上がる起立部から屈曲し、その屈曲した先端領域に前記照明部を有する屈曲部を備え、その屈曲部より上部に前記ソーラーパネルが配置され、こうすれば照明部が屈曲部に一体的に融合し、スマートな形態を生み出すことでき、またソーラーパネルはその屈曲部より上側にあるので、ソーラーパネルの受光が照明部によって阻害されず、また照明部による下方への照明もソーラーパネルによって阻害されないから、ソーラーパネルと照明部との両者の機能を最大限に発揮することが可能となる。
【００１５】
また、前記基礎ボックスは、上部から下部にかけて中空部の断面積が漸次増大するテーパ状に形成され、こうすれば、基礎ボックスの地面等の設置面への固定が安定し、ひいてはその基礎ボックス上に立設された支柱の安定度も高まる。
【００１６】
また、前記基礎ボックス内には、前記バッテリを固定する固定部、さらには必要に応じてコントローラを固定する固定部が設けられ、こうすれば、車両の通過による振動、風や地震等による揺れによっても、バッテリやコントローラが基礎ボックス内で安定に保持される。
【００１７】
また、前記ソーラーパネルは、前記支柱に対して角度調節可能に固定され、こうすれば、支柱の設置される場所等に応じて、太陽光を最も効率よく受光できる角度にソーラーパネルを調整して、発電効率を高めることができる。
【００１８】
ここで、照明部としては、発光ダイオードを用いた照明部が好ましく、その他に白熱灯、蛍光灯、水銀灯などを用いることができる。
【００１９】
本発明の屋外灯によれば、例えば、路上や公園に設置するだけで、昼間には照明部は消灯してソーラーパネルが発電し、夜間になると自動的に照明部が点灯するように設定できる。そして、照明部には発光ダイオードを使用すると、消費電力が小さくなり、夜間の点灯時間を延ばすことができる。さらには、独立発電式で配線工事も不要なため、特別なメンテナンスを必要とせず、昼間に日の当たる所であれば設置場所を自由に選べ汎用性を有する。
【発明を実施するための最良の形態】
【００２０】
以下、本発明の実施形態を図面を参照しつつ説明する。図１は本発明の実施形態に係る屋外灯の一例を示す上方及び下方から見た斜視図、図２は図１の屋外灯の一部省略した正面図及び背面図、図３は図１の屋外灯の一部省略した左側面図及び右側面図、図４は図１の屋外灯の平面図及び底面図、図５は図４（ａ）におけるＡ−Ａ断面図を用いて設置状態を示す図、図６は本発明の実施形態に係る屋外灯のシステム構成を示すブロック図である。
【００２１】
図１（ａ），（ｂ）に示すように、屋外灯１は、路上や庭園などの屋外に設置されるとともに、支柱２と、その支柱２の下側に配置されて支柱２を支持する基礎ボックス３とを備えている。そして、その支柱２には、太陽光を受けて発電するソーラーパネル４と、そのソーラーパネル４が発電した電力を利用して点灯する照明部５と、その照明部５の点灯と消灯とを自動で切り替えるために周囲の照度を検知する照度センサ６とが上部に設けられている。また、支柱２は、それらソーラーパネル４、照明部５及び照度センサ６に接続する配線Ｌを通すために中空形態をなして形成されている（図５参照）。
【００２２】
また、基礎ボックス３は、図５に示すように、ソーラーパネル４により発電された電力を充電し、かつ、その充電した電力を照明部５に給電するバッテリ７と、照度センサ６が検知する周囲の照度によって、照明部５の点灯と消灯とを切り替えるためにバッテリ７における充電及び照明部５への給電を制御するコントローラ８とを収容している。
【００２３】
すなわち、屋外灯１は、図６に示すように、ソーラーパネル４、照明部５、照度センサ６、並びにバッテリ７のそれぞれがコントローラ８に接続され、このコントローラ８の制御指令に基づき、それぞれ駆動制御される。なお、コントローラ８は、周知のＣＰＵ、ＲＯＭ、ＲＡＭ、Ｉ／Ｏ及びこれらの構成を接続するバスライン等からなるマイクロコンピュータを主として構成される。以下、屋外灯１の具体的な態様について説明する。
【００２４】
支柱２は、図１ないし図５に示すように、筒状形態をなし、基礎ボックス３から立ち上がる起立部２１と、その起立部２１から屈曲する屈曲部２２と、起立部２１下端部に形成され基礎ボックス３に連結するための支持部２３と、起立部２１と屈曲部２２との連接位置（折れ曲がる部分）において起立部２１から延設される延設部２４とを備えている。そして、屈曲部２２の先端領域には、窓部２２ａが形成され、その窓部２２ａに対応して照明部５が設けられている（図５参照）。
【００２５】
また、支持部２３は、起立部２１の下端部から外側に向かってフランジ状に突出するつば部２３ａと、そのつば部２３ａと起立部２１に跨り補強するリブ２３ｂとを含み構成されている。そして、つば部２３ａには図示しない貫通孔が形成されており、その貫通孔を介して基礎ボックス３の上面にボルト及びナットなどの締結部材２３ｃによって連結固定される。
【００２６】
延設部２４には、ソーラーパネル４を角度調節可能に固定するための保持具２５が取り付けられている。この保持具２５は、延設部２４に自身を固定するための外筒部２５ａと、ソーラーパネル４の下面に形成されたパネル側連結部４１に固定される保持具側連結部２５ｂとで形成されている。
【００２７】
なお、ソーラーパネル４のパネル側連結部４１は、楕円形状の板状形態をなし、厚さ方向に円形状に貫通する軸孔４１ａと、厚さ方向に軸孔４１ａを中心とする円弧状に貫通する長孔４１ｂとを上下に並ぶように形成している。これによりソーラーパネル４は、軸孔４１ａに挿通されるボルト等を回動軸（中心）として、長孔４１ｂの範囲で角度調整可能に取り付けることができる。具体的には、ソーラーパネル４は、支柱２の屈曲部２２の屈曲方向に対応して、図３に示す矢印Ｐ方向に角度調節される。また、図１（ｂ）及び図５に示すように、ソーラーパネル４や照度センサ６の配線Ｌは、保持具２５の外筒部２５ａの上側から支柱２の内部に引き込まれている。
【００２８】
照明部５は、図５及び図６に示すように、光源（発光部）として複数の発光ダイオード５１を備えている。
【００２９】
照度センサ６は、フォトトランジスタを使用するもの、フォトダイオードを使用するもの、或いはフォトダイオードにアンプ回路を追加したものなどによって構成され、周囲の明るさを検知するものである。
【００３０】
次に、基礎ボックス３は、図１ないし図３に示すように、中空箱状形態をなし、平面視矩形状（例えば、正方形状）の上壁部（天井板部）１を含み構成されている。そして、上壁部３１には、配線Ｌを挿通する配線孔３１ａが形成され（図５参照）、支柱２の支持部２３（下端部）が取り付けられている。また、側壁部３２の所定場所（本実施例においては側壁部３２ｄ：図３（ａ）参照）には、取り外し可能な蓋部３５が締結部材３５ａによって固定配置された開口部３４が形成されている。さらに、底壁部３３は、平面視矩形状（例えば、正方形状）の板状形態をなし、側壁部３２の下縁から外側にフランジ状に突出するフランジ部３３ｆを形成している。
【００３１】
ここで、図１及び図２等に示すように、基礎ボックス３は、その上部から下部に向かって中空部の断面積が漸次増大するように裾拡がりのテーパ状の箱形態をなし、特にこの例では、裁頭四角錐台の形状をなして、正面視でも側面視でも裾拡がりのテーパ状をなしている。すなわち、図１、図３に示すように、上辺を平行短辺、下辺を平行長辺とする等脚台形状で側壁部３２ａ，３２ｂ，３２ｃ，３２ｄがそれぞれ傾斜して形成されている。これにより、基礎ボックス３ひいては支柱２１の設置強度・剛性が高まる。
【００３２】
そして基礎ボックス３の内部には、図５に示すように、バッテリ７及びコントローラ８を固定する固定部３６が設けられている。具体的には、固定部３６は、バッテリ７を取り囲むように底壁部３３からリブ状に立ち上がって形成されている。
【００３３】
また、基礎ボックス３は、図４に示すように、平面視（底面視）においてソーラーパネル４よりも大きく形成されている。すなわち、基礎ボックス３及びソーラーパネル４は、ソーラーパネル４を基礎ボックス３に対して正射投影した投影領域の全体が基礎ボックス３に包含される大きさ及び位置関係にて形成されている。
【００３４】
なお、屋外灯１は、図５に示すように、路上や公園などの屋外の地面Ｇにコンクリートなどの基礎コンクリート１００を敷設し、その基礎コンクリート１００の上側に設置することとなる。そして、その基礎コンクリート１００には、底壁部３３の貫通孔３３ａ（図４）に対応してアンカーボルト１０１が形成され、そのアンカーボルト１０１に底壁部３３の貫通孔３３ａを挿通させて設置することとなる。したがって、屋外灯１は、まず、基礎ボックス３を基礎コンクリート１００に設置（固定）した後に、その基礎ボックス３の上側に支柱２を設置することができ、組み立ても簡単に行うことができる。なお、支柱２を基礎ボックス３に取り付けて一体化した後に、基礎コンクリート１００に設置してもよい。
【００３５】
次に、屋外灯の変形例について説明する。図７は変形例に係る屋外灯の断面図である。以下の説明では、上述した実施形態と異なる部分について主に述べ、重複する部分については、同番号を付して、説明を省略又は簡略化する。変形例に係る屋外灯１Ａは、図７に示すように、側壁部３２の内側に固定されて形成される固定部３６Ａによってバッテリ７が固定配置されている。また、上壁部３１及び底壁部３３を連結する形態で形成された固定部３６Ｂによってコントローラ８が固定配置されている。このように、基礎ボックス３が支柱２を支持するために十分な大きさ（面積）を有するので、その収納空間（スペース）が大きくなり、バッテリ７やコントローラ８を固定する設計の自由度が増す。ひいては、大きなバッテリ７を設置して十分な充電を確保することができる。そして、例えば、固定部３６Ｂのように上壁部３１と底壁部３３とを連結することで、基礎ボックス３を補強する補強部として兼用することができる。
【００３６】
以上、本発明の実施の形態を説明したが、これらはあくまで例示にすぎず、本発明はこれらに限定されるものではなく、特許請求の範囲の趣旨を逸脱しない限りにおいて、当業者の知識に基づく種々の変更が可能である。
【図面の簡単な説明】
【００３７】
【図１】本発明の実施形態に係る屋外灯の一例を示す上方及び下方から見た斜視図。
【図２】図１の屋外灯の一部省略した正面図及び背面図。
【図３】図１の屋外灯の一部省略した左側面図及び右側面図。
【図４】図１の屋外灯の平面図及び底面図。
【図５】図４（ａ）におけるＡ−Ａ断面図を用いて設置状態を示す図。
【図６】本発明の実施形態に係る屋外灯のシステム構成を示すブロック図。
【図７】変形例に係る屋外灯の断面図。
【符号の説明】
【００３８】
１  屋外灯
２  支柱
３  基礎ボックス
４  ソーラーパネル
５  照明部
６  照度センサ
７  バッテリ
８  コントローラ
２１  起立部
２２  屈曲部
２２ａ  窓部
２３  支持部
２４  延設部
２５  保持具
２５ａ  外筒部
２５ｂ  保持具側連結部
３１  上壁部
３２  側壁部
３３  底壁部
３３ｆ  フランジ部
３６  固定部
４１  パネル側連結部
４１ａ  軸孔
４１ｂ  長孔
１００  基礎コンクリート
Ｌ  配線
【要約】
【課題】  照明部のバッテリの点検や交換といったメンテナンスを容易に実施することができ、支柱を安定的に設置することができる屋外灯を提供する。
【解決手段】  ソーラーパネル４、照明部５及び照度センサ６が上部に取り付けられた支柱２が、バッテリ及びコントローラを収容する基礎ボックス３上に立設・固定されている。
【選択図】図１【図１】
0004119476.tif 000002
【図２】
0004119476.tif 000003
【図３】
0004119476.tif 000004
【図４】
0004119476.tif 000005
【図５】
0004119476.tif 000006
【図６】
0004119476.tif 000007
【図７】
0004119476.tif 000008